【手続補正書】
【提出日】令和1年5月15日(2019.5.15)
【手続補正１】
【補正対象書類名】明細書
【補正対象項目名】発明の名称
【補正方法】変更
【補正の内容】
【発明の名称】通信装置及びその制御方法、並びにプログラム
【手続補正２】
【補正対象書類名】明細書
【補正対象項目名】０００１
【補正方法】変更
【補正の内容】
【０００１】
本発明は、通信装置及びその制御方法、並びにプログラムに関する。
【手続補正３】
【補正対象書類名】明細書
【補正対象項目名】０００６
【補正方法】変更
【補正の内容】
【０００６】
本発明の目的は、発信装置までの正確な距離を特定することができる通信装置及びその制御方法、並びにプログラムを提供することにある。
【手続補正４】
【補正対象書類名】明細書
【補正対象項目名】０００７
【補正方法】変更
【補正の内容】
【０００７】
上記目的を達成するために、本発明の通信装置は、外部装置が送信するパケットを受信する通信装置であって、所定の指示を受け付ける受付手段と、前記所定の指示を受け付けた場合に、前記受信したパケットを伝送する電波の強度に基づいて前記通信装置が記憶する電波強度と距離の対応情報のキャリブレーションを行う調整手段と、前記キャリブレーションの完了後、新たに受信したパケットを伝送する電波の強度と前記キャリブレーションを行った対応情報とを用いて前記外部装置との距離を推定する推定手段とを備えることを特徴とする。
【手続補正５】
【補正対象書類名】特許請求の範囲
【補正対象項目名】全文
【補正方法】変更
【補正の内容】
【特許請求の範囲】
【請求項１】
外部装置が送信するパケットを受信する通信装置であって、
所定の指示を受け付ける受付手段と、
前記所定の指示を受け付けた場合に、前記受信したパケットを伝送する電波の電波強度に基づいて前記通信装置が記憶する電波強度と距離の対応情報のキャリブレーションを行う調整手段と、
前記キャリブレーションの完了後、新たに受信したパケットを伝送する電波の電波強度と前記キャリブレーションを行った対応情報とを用いて前記外部装置との距離を推定する推定手段とを備えることを特徴とする通信装置。
【請求項２】
前記受信したパケットを伝送する電波の電波強度を計測する計測手段を更に備え、
前記調整手段は、前記計測手段によって計測された電波強度に基づいて前記キャリブレーションを行うことを特徴とする請求項１記載の通信装置。
【請求項３】
前記パケットは、Bluetooth Low Energyのアドバタイジングパケットであることを特徴とする請求項１又は２記載の通信装置。
【請求項４】
前記所定の指示を受け付けるためのオブジェクトを含む画面を表示する表示手段を更に備え、
前記画面には、前記通信装置と前記外部装置とが所定の距離を有する位置関係となるように前記通信装置を移動させることをユーザに促す情報が表示され、
前記受付手段は、前記オブジェクトを選択するユーザ操作を受け付けた場合に、前記所定の指示を受け付けたと判断することを特徴とする請求項１乃至３のいずれか１項に記載の通信装置。
【請求項５】
ＱＲコードを読み取る読取手段と、
前記読取手段を用いて前記ＱＲコードを読み取るための画面を表示する表示手段とを更に備え、
前記所定の指示は、前記読取手段を用いて前記外部装置が提供するＱＲコードを読み取らせる指示であり、
前記受付手段は、前記ＱＲコードの読み取りに成功し、当該ＱＲコードを解析して得られた外部装置の情報と前記受信したパケットが示す情報とに基づいて前記ＱＲコードを表示している外部装置と前記パケットを送信している外部装置とが一致していると判断したことに従って、前記所定の指示を受け付けたと判断することを特徴とする請求項１乃至３のいずれか１項に記載の通信装置。
【請求項６】
前記対応情報は、前記電波強度と前記距離を対応付けるルックアップテーブルであり、前記所定の指示を受け付ける場合に想定されている所定の距離に対応する電波強度を前記受信したパケットの電波強度に従って調整し、且つ調整前の電波強度と調整後の電波強度の関係に基づいて、前記所定の距離とは異なる距離と電波強度の対応付けを調整することを特徴とする請求項１乃至５のいずれか１項に記載の通信装置。
【請求項７】
前記外部装置は、Bluetooth Low Energyに準拠する無線通信とＷｉ−Ｆｉに準拠する無線通信を実行可能であり、表示部を有するマルチファンクション装置であることを特徴とする請求項１乃至６のいずれか１項に記載の通信装置。
【請求項８】
外部装置が送信するパケットを受信する通信装置の制御方法であって、
所定の指示を受け付ける受付ステップと、
前記所定の指示を受け付けた場合に、前記受信したパケットを伝送する電波の電波強度に基づいて前記通信装置が記憶する電波強度と距離の対応情報のキャリブレーションを行う調整ステップと、
前記キャリブレーションの完了後、新たに受信したパケットを伝送する電波の電波強度と前記キャリブレーションを行った対応情報とを用いて前記外部装置との距離を推定する推定ステップとを有することを特徴とする通信装置の制御方法。
【請求項９】
前記受信したパケットを伝送する電波の電波強度を計測する計測ステップを更に有し、
前記調整ステップは、前記計測ステップにて計測された電波強度に基づいて前記キャリブレーションを行うことを特徴とする請求項８記載の通信装置の制御方法。
【請求項１０】
前記パケットは、Bluetooth Low Energyのアドバタイジングパケットであることを特徴とする請求項８又は９記載の通信装置の制御方法。
【請求項１１】
前記通信装置は、前記所定の指示を受け付けるためのオブジェクトを含む画面を表示する表示手段を備え、
前記画面には、前記通信装置と前記外部装置とが所定の距離を有する位置関係となるように前記通信装置を移動させることをユーザに促す情報が表示され、
前記受付ステップは、前記オブジェクトを選択するユーザ操作を受け付けた場合に、前記所定の指示を受け付けたと判断することを特徴とする請求項８乃至１０のいずれか１項に記載の通信装置の制御方法。
【請求項１２】
前記通信装置は、ＱＲコードを読み取る読取手段と、前記読取手段を用いて前記ＱＲコードを読み取るための画面を表示する表示手段とを更に備え、
前記所定の指示は、前記読取手段を用いて前記外部装置が提供するＱＲコードを読み取らせる指示であり、
前記受付ステップは、前記ＱＲコードの読み取りに成功し、当該ＱＲコードを解析して得られた外部装置の情報と前記受信したパケットが示す情報とに基づいて前記ＱＲコードを表示している外部装置と前記パケットを送信している外部装置とが一致していると判断したことに従って、前記所定の指示を受け付けたと判断することを特徴とする請求項８乃至１０のいずれか１項に記載の通信装置の制御方法。
【請求項１３】
前記対応情報は、前記電波強度と前記距離を対応付けるルックアップテーブルであり、前記所定の指示を受け付ける場合に想定されている所定の距離に対応する電波強度を前記受信したパケットの電波強度に従って調整し、且つ調整前の電波強度と調整後の電波強度の関係に基づいて、前記所定の距離とは異なる距離と電波強度の対応付けを調整することを特徴とする請求項８乃至１２のいずれか１項に記載の通信装置の制御方法。
【請求項１４】
前記外部装置は、Bluetooth Low Energyに準拠する無線通信とＷｉ−Ｆｉに準拠する無線通信を実行可能であり、表示部を有するマルチファンクション装置であることを特徴とする請求項８乃至１３のいずれか１項に記載の通信装置の制御方法。
【請求項１５】
外部装置が送信するパケットを受信する通信装置の制御方法をコンピュータに実行させるプログラムであって、
前記通信装置の制御方法は、
所定の指示を受け付ける受付ステップと、
前記所定の指示を受け付けた場合に、前記受信したパケットを伝送する電波の電波強度に基づいて前記通信装置が記憶する電波強度と距離の対応情報のキャリブレーションを行う調整ステップと、
前記キャリブレーションの完了後、新たに受信したパケットを伝送する電波の電波強度と前記キャリブレーションを行った対応情報とを用いて前記外部装置との距離を推定する推定ステップとを有することを特徴とするプログラム。
【請求項１６】
前記受信したパケットを伝送する電波の電波強度を計測する計測ステップを更に有し、
前記調整ステップは、前記計測ステップにて計測された電波強度に基づいて前記キャリブレーションを行うことを特徴とする請求項１５記載のプログラム。
【請求項１７】
前記パケットは、Bluetooth Low Energyのアドバタイジングパケットであることを特徴とする請求項１５又は１６記載のプログラム。
【請求項１８】
前記通信装置は、前記所定の指示を受け付けるためのオブジェクトを含む画面を表示する表示手段を備え、
前記画面には、前記通信装置と前記外部装置とが所定の距離を有する位置関係となるように前記通信装置を移動させることをユーザに促す情報が表示され、
前記受付ステップは、前記オブジェクトを選択するユーザ操作を受け付けた場合に、前記所定の指示を受け付けたと判断することを特徴とする請求項１５乃至１７のいずれか１項に記載のプログラム。
【請求項１９】
前記通信装置は、ＱＲコードを読み取る読取手段と、前記読取手段を用いて前記ＱＲコードを読み取るための画面を表示する表示手段とを更に備え、
前記所定の指示は、前記読取手段を用いて前記外部装置が提供するＱＲコードを読み取らせる指示であり、
前記受付ステップは、前記ＱＲコードの読み取りに成功し、当該ＱＲコードを解析して得られた外部装置の情報と前記受信したパケットが示す情報とに基づいて前記ＱＲコードを表示している外部装置と前記パケットを送信している外部装置とが一致していると判断したことに従って、前記所定の指示を受け付けたと判断することを特徴とする請求項１５乃至１７のいずれか１項に記載のプログラム。
【請求項２０】
前記対応情報は、前記電波強度と前記距離を対応付けるルックアップテーブルであり、前記所定の指示を受け付ける場合に想定されている所定の距離に対応する電波強度を前記受信したパケットの電波強度に従って調整し、且つ調整前の電波強度と調整後の電波強度の関係に基づいて、前記所定の距離とは異なる距離と電波強度の対応付けを調整することを特徴とする請求項１５乃至１９のいずれか１項に記載のプログラム。
【請求項２１】
前記外部装置は、Bluetooth Low Energyに準拠する無線通信とＷｉ−Ｆｉに準拠する無線通信を実行可能であり、表示部を有するマルチファンクション装置であることを特徴とする請求項１５乃至２０のいずれか１項に記載のプログラム。